(57)【要約】【課題】  デジタルカメラにプロジェクタユニットを結合して、デジタルカメラとプロジェクタの機能を具備した小型かつ低コストな画像投射機能付撮像システムを提供する。【解決手段】  撮影用光学系１１および撮像素子１４を備えるデジタルカメラ１０と、撮像画像を表示する透過ＬＣＤ３３およびそれを照明する光源３５を備えるプロジェクタユニット７０とから成る画像投射機能付撮像システムは、デジタルカメラおよびプロジェクタユニットの分離時には撮影用光学系１１の光路範囲外に退避し、デジタルカメラおよびプロジェクタユニットの結合時には撮像用光学系１１および撮像素子１４の間に挿入されるように配置されるミラー１７を備え、デジタルカメラおよびプロジェクタユニットの結合時には、撮像画像を表示している透過ＬＣＤ３３を光源３５で照明することにより、撮像画像をミラー１７および撮影用光学系１１を介して所定表示面に投射表示する。【選択図】図１
2006180201.tif 000002
【特許請求の範囲】
【請求項１】
撮影用光学系および撮像素子を備えるデジタルカメラと、撮像画像を表示する画像表示手段および該画像表示手段を照明する照明手段を備えるプロジェクタユニットと、から成る画像投射機能付撮像システムであって、
前記デジタルカメラおよび前記プロジェクタユニットの分離時には前記撮影用光学系の光路範囲外に退避し、前記デジタルカメラおよび前記プロジェクタユニットの結合時には前記撮像用光学系および前記撮像素子の間に挿入されるように配置される反射部材を備え、
前記デジタルカメラおよび前記プロジェクタユニットの結合時には、前記撮像画像を表示している前記画像表示手段を前記照明手段によって照明することにより、前記撮像画像を前記反射部材および前記撮影用光学系を介して所定表示面に投射表示するようにしたことを特徴とする画像投射機能付撮像システム。
【請求項２】
前記反射部材は、前記デジタルカメラの内部に配置されることを特徴とする請求項１記載の画像投射機能付撮像システム。
【請求項３】
前記反射部材は、前記プロジェクタユニットの内部に配置されることを特徴とする請求項１記載の画像投射機能付撮像システム。
【請求項４】
前記デジタルカメラおよび前記プロジェクタユニットの結合時には、前記反射部材が前記撮影用光学系の光路内に挿入可能になるように、前記撮影用光学系を移動させるようにしたことを特徴とする請求項１〜３の何れか１項記載の画像投射機能付撮像システム。
【請求項５】
前記デジタルカメラは、記録媒体と、撮像画像の画像データを前記記録媒体に記録する処理回路と、前記記録媒体内の画像データを前記プロジェクタユニットの処理回路に転送するデータ転送手段とを備え、該データ転送手段の作動時に、前記デジタルカメラ内の撮像画像を前記プロジェクタの前記画像表示手段に表示させて前記所定表示面への投射表示を行うようにしたことを特徴とする請求項１〜４の何れか１項記載の画像投射機能付撮像システム。
【請求項６】
前記プロジェクタユニットは、前記撮影用光学系の光軸に対して直交する方向で前記デジタルカメラに結合または分離するようにしたことを特徴とする請求項１〜５の何れか１項記載の画像投射機能付撮像システム。
【請求項７】
前記プロジェクタユニットは、前記デジタルカメラへの充電機能および外部機器との通信機能の少なくとも一方を備えることを特徴とする請求項１〜６の何れか１項記載の画像投射機能付撮像システム。
【請求項８】
前記デジタルカメラは測距対象物までの距離を測定する測距手段を備え、前記デジタルカメラおよび前記プロジェクタユニットの結合時には、前記測距手段の測距データに応じて、前記画像表示手段に表示された撮像画像の投射像が前記所定表示面に結像するように前記撮影用光学系の焦点位置を制御するようにしたことを特徴とする請求項１〜７の何れか１項記載の画像投射機能付撮像システム。
【請求項９】
前記デジタルカメラは撮像および画像表示を含む各種操作を行うための操作部を備え、該操作部は、前記プロジェクタユニットの画像投射を含む各種操作を行うための操作部を兼用するようにしたことを特徴とする請求項１〜８の何れか１項記載の画像投射機能付撮像システム。
【発明の詳細な説明】
【技術分野】
【０００１】
本発明は、撮影用光学系および撮像素子を備えるデジタルカメラと、撮像画像を表示する画像表示手段および該画像表示手段を照明する照明手段を備えるプロジェクタユニットとを組み合わせることにより、デジタルカメラの撮像機能とプロジェクタの画像投射機能とを具備するように構成した画像投射機能付撮像システムに関するものである。
【背景技術】
【０００２】
近年、写真のような画像を電子的に撮像する、デジタルカメラ（デジタルスチルカメラや電子スチルカメラなどともいう）が市販され、一般に広く使われるようになってきている。また、パーソナルコンピュータ（以下、ＰＣという）の画面に表示される画像やデジタルカメラで撮像した画像を大画面表示して鑑賞するためにスクリーンに投影するプロジェクタも一般に使われるようになっている。デジタルカメラおよびプロジェクタを組み合わせて使用する場合には、一般的には、デジタルカメラで撮影した画像（以下、撮像画像という）のデータを各種メモリーカードやハードディスク等の記録媒体に記録しておき、その撮像画像をプロジェクタを用いて鑑賞する際には、ＰＣにプロジェクタおよび記録媒体を接続して、プロジェクタから大画面スクリーン等に記録媒体内の撮像画像を拡大投射するように構成する。
【０００３】
上述したようなデジタルカメラとプロジェクタとを組み合わせる使い方をする場合、必要な機材を簡略化および小型化することが好ましい。このような要求に応えるために、デジタルカメラの撮像用の対物レンズをプロジェクタの投射用レンズと兼用するように構成した電子カメラ（例えば特許文献１参照；以下、従来技術１という）が提案されている。なお、液晶プロジェクタにデジタルカメラを内蔵させて、液晶プロジェクタの投射用レンズがデジタルカメラの撮像用対物レンズを兼用するように構成した液晶プロジェクタ（例えば特許文献２参照；以下、従来技術２という）も提案されている。
【０００４】
【特許文献１】特開平５−１３７０３９号公報
【特許文献２】特開２００４−２５２１１８号公報
【発明の開示】
【発明が解決しようとする課題】
【０００５】
上記従来技術１は、ＣＣＤ等の撮像素子に被写体の像を結像させる撮影用光学系とは別に、撮影用光学系の対物レンズによる結像状況を観察するファインダ用光学系を有する構成のデジタルカメラを適用対象としている。しかし、最近のデジタルカメラに対する小型化、薄型化のニーズの高まりに応じて、カード型等のコンパクトタイプのデジタルカメラが急激に増加しており、このようなコンパクトタイプのデジタルカメラは、構造上、ファインダ用光学系を設けることが不可能な場合が多いため、「ファインダ光学系を有していない構成のデジタルカメラ」となる場合が多く、そのような場合には上記従来技術１の構成を適用することはできない。なお、「ファインダ光学系を有していない構成のデジタルカメラ」では、ファインダ光学系の代わりにＬＣＤ等の電子的表示装置を用いて、観察中の像や撮影済みの画像を確認できるようにするのが一般的である。
また、上記従来技術１は、デジタルカメラ内にプロジェクタの画像投射用の表示素子と投射用照明装置とを予め配置しておく必要があるが、特に、画像投射用の表示素子としては小型かつ高精細で透過率の高いＬＣＤ等が必要とされ、投射用照明装置としても高輝度で均一な配光分布を有するプロジェクタ用に適した照明装置が必要とされるため、デジタルカメラ部が大型化したり、価格が高くなったりしてしまう。その結果、デジタルカメラ自体が大型化およびコストアップするため、通常の撮影用途には不便になったり、プロジェクタとしての機能を必要としない使用者には高価なものとなってしまう。
なお、上記従来技術２は、単に、液晶プロジェクタの投射用レンズがデジタルカメラの撮像用の対物レンズを兼用するように構成しただけなので、装置全体としてはデジタルカメラよりも遙かに大きい液晶プロジェクタの大きさとなってしまい、上記小型化の要求に応えることができない。
【０００６】
本発明は、一般的なデジタルカメラにプロジェクタユニットを結合分離する構成を採用することにより、デジタルカメラおよびプロジェクタの機能を具備した小型かつ低コストな画像投射機能付撮像システムを提供することを目的とする。
【課題を解決するための手段】
【０００７】
上記目的を達成するため、請求項１に記載の第１発明は、撮影用光学系および撮像素子を備えるデジタルカメラと、撮像画像を表示する画像表示手段および該画像表示手段を照明する照明手段を備えるプロジェクタユニットと、から成る画像投射機能付撮像システムであって、前記デジタルカメラおよび前記プロジェクタユニットの分離時には前記撮影用光学系の光路範囲外に退避し、前記デジタルカメラおよび前記プロジェクタユニットの結合時には前記撮像用光学系および前記撮像素子の間に挿入されるように配置される反射部材を備え、前記デジタルカメラおよび前記プロジェクタユニットの結合時には、前記撮像画像を表示している前記画像表示手段を前記照明手段によって照明することにより、前記撮像画像を前記反射部材および前記撮影用光学系を介して所定表示面に投射表示するようにしたことを特徴とする。
【０００８】
請求項２に記載の第２発明は、前記反射部材は、前記デジタルカメラの内部に配置されることを特徴とする。
【０００９】
請求項３に記載の第３発明は、前記反射部材は、前記プロジェクタユニットの内部に配置されることを特徴とする。
【００１０】
請求項４に記載の第４発明は、前記デジタルカメラおよび前記プロジェクタユニットの結合時には、前記反射部材が前記撮影用光学系の光路内に挿入可能になるように、前記撮影用光学系を移動させるようにしたことを特徴とする。
【００１１】
請求項５に記載の第５発明は、前記デジタルカメラは、記録媒体と、撮像画像の画像データを前記記録媒体に記録する処理回路と、前記記録媒体内の画像データを前記プロジェクタユニットの処理回路に転送するデータ転送手段とを備え、該データ転送手段の作動時に、前記デジタルカメラ内の撮像画像を前記プロジェクタの前記画像表示手段に表示させて前記所定表示面への投射表示を行うようにしたことを特徴とする。
【００１２】
請求項６に記載の第６発明は、前記プロジェクタユニットは、前記撮影用光学系の光軸に対して直交する方向で前記デジタルカメラに結合または分離するようにしたことを特徴とする。
【００１３】
請求項７に記載の第７発明は、前記プロジェクタユニットは、前記デジタルカメラへの充電機能および外部機器との通信機能の少なくとも一方を備えることを特徴とする。
【００１４】
請求項８に記載の第８発明は、前記デジタルカメラは測距対象物までの距離を測定する測距手段を備え、前記デジタルカメラおよび前記プロジェクタユニットの結合時には、前記測距手段の測距データに応じて、前記画像表示手段に表示された撮像画像の投射像が前記所定表示面に結像するように前記撮影用光学系の焦点位置を制御するようにしたことを特徴とする。
【００１５】
請求項９に記載の第９発明は、前記デジタルカメラは撮像および画像表示を含む各種操作を行うための操作部を備え、該操作部は、前記プロジェクタユニットの画像投射を含む各種操作を行うための操作部を兼用するようにしたことを特徴とする。
【発明の効果】
【００１６】
第１発明によれば、撮影用光学系および撮像素子を備えるデジタルカメラと、撮像画像を表示する画像表示手段および該画像表示手段を照明する照明手段を備えるプロジェクタユニットと、から成る画像投射機能付撮像システムは、前記デジタルカメラおよび前記プロジェクタユニットの分離時には前記撮影用光学系の光路範囲外に退避し、前記デジタルカメラおよび前記プロジェクタユニットの結合時には前記撮像用光学系および前記撮像素子の間に挿入されるように配置される反射部材を備え、前記デジタルカメラおよび前記プロジェクタユニットの結合時には、前記撮像画像を表示している前記画像表示手段を前記照明手段によって照明することにより、前記撮像画像を前記反射部材および前記撮影用光学系を介して所定表示面に投射表示するように構成されているから、一般的なデジタルカメラにプロジェクタユニットを結合分離する構成を採用することにより、デジタルカメラおよびプロジェクタの機能を具備した小型かつ低コストな画像投射機能付撮像システムを提供することができる。
【００１７】
第２発明によれば、前記反射部材は、前記デジタルカメラの内部に配置されるので、画像投射機能付撮像システムを小型化することができる。
【００１８】
第３発明によれば、前記反射部材は、前記プロジェクタユニットの内部に配置されるので、第２発明よりも前記デジタルカメラが小型化されることになり、画像投射機能付撮像システムを小型化することができる。
【００１９】
第４発明によれば、前記デジタルカメラおよび前記プロジェクタユニットの結合時には、前記反射部材が前記撮影用光学系の光路内に挿入可能になるように、前記撮影用光学系を移動させるようにしたから、前記デジタルカメラ内において前記反射部材が占有するスペースを小さくすることが可能になり、画像投射機能付撮像システムの小型化に寄与することになる。
【００２０】
第５発明によれば、前記デジタルカメラは、記録媒体と、撮像画像の画像データを前記記録媒体に記録する処理回路と、前記記録媒体内の画像データを前記プロジェクタユニットの処理回路に転送するデータ転送手段とを備え、該データ転送手段の作動時に、前記デジタルカメラ内の撮像画像を前記プロジェクタの前記画像表示手段に表示させて前記所定表示面への投射表示を行うようにしたから、前記デジタルカメラで撮像した撮像画像を前記プロジェクタユニットで前記所定表示面に大画面表示して鑑賞することができるようになる。
【００２１】
第６発明によれば、前記プロジェクタユニットは、前記撮影用光学系の光軸に対して直交する方向で前記デジタルカメラに結合または分離するようにしたから、前記デジタルカメラ内において前記プロジェクタユニットが占有するスペースを小さくすることが可能になり、画像投射機能付撮像システムの小型化に寄与することになる。
【００２２】
第７発明によれば、前記プロジェクタユニットは、前記デジタルカメラへの充電機能および外部機器との通信機能の少なくとも一方を備えるから、前記プロジェクタユニットを画像投射に使用しないときは前記デジタルカメラに用いる「クレイドル」として利用することが可能になる。
【００２３】
第８発明によれば、前記デジタルカメラは測距対象物までの距離を測定する測距手段を備え、前記デジタルカメラおよび前記プロジェクタユニットの結合時には、前記測距手段の測距データに応じて、前記画像表示手段に表示された撮像画像の投射像が前記所定表示面に結像するように前記撮影用光学系の焦点位置を制御するようにしたから、例えば前記デジタルカメラの撮像素子を前記測距手段として流用することにより、前記プロジェクタユニット側には測距手段を設ける必要が無くなるので、画像投射機能付撮像システムの小型化およびコストダウンに寄与することになる。
【００２４】
第９発明によれば、前記デジタルカメラが備える撮像および画像表示を含む各種操作を行うための操作部は、前記プロジェクタユニットの画像投射を含む各種操作を行うための操作部を兼用するので、デジタルカメラとして使用するときもプロジェクタとして使用するときも前記操作部で全ての操作を行うことが可能になり、使い勝手が向上する。
【発明を実施するための最良の形態】
【００２５】
以下、本発明を実施するための最良の形態を図面に基づき詳細に説明する。
【００２６】
［第１実施形態］
図１は本発明の第１実施形態の画像投射機能付撮像システムの全体構成を示す縦断面図であり、図２は第１実施形態の画像投射機能付撮像システムにおけるデジタルカメラの撮影時の状態を示す撮影用光学系の光軸位置での縦断面図である。本実施形態の画像投射機能付撮像システムは、図１に示すように、デジタルカメラ１０と、プロジェクタユニット３０とを具備して成る。なお、本実施形態では、デジタルカメラ１０として、コンパクトタイプのデジタルカメラを用いるものとする。
【００２７】
デジタルカメラ１０は、図２に示すように、筺体１０ａの左側面に、図示しない対物レンズを含む撮影用光学系（この撮影用光学系は、ズーム機能を有しているものを用いるものとする）１１を保持する鏡枠１２が、撮影用光学系１１の光軸Ｌ上を進退移動可能に保持されており、鏡枠１２は、図２の状態では撮影位置に停止している。撮影用光学系１１の光軸Ｌ上の筺体１０ａの右端部近傍には、ローパスフィルタ１３および撮像素子（例えばＣＣＤ、ＣＭＯＳ等）１４が支持されており、筺体１０ａの右側面には外部表示部であるＬＣＤ１５が配置されている。筺体１０ａの底面には蓋１６が着脱可能に設けられている。この蓋１６は、図２に示すデジタルカメラ単体使用時には装着し、図１に示すデジタルカメラ１０およびプロジェクタユニット３０の結合使用時には取り外すことになっている。
【００２８】
デジタルカメラ１０の筺体１０ａの内部には、反射部材であるミラー１７が回転軸１８の中心周りに回動可能に支持されている。このミラー１７は、図２に示すようなデジタルカメラ１０およびプロジェクタユニット３０の分離時には撮影用光学系１１の光路範囲外に退避し、図１に示すようなデジタルカメラ１０およびプロジェクタユニット３０の結合時には撮像用光学系１１および撮像素子１４の間に挿入されるように配置されている。なお、上述したように反射部材であるミラー１７をデジタルカメラの内部に配置するとともに、デジタルカメラおよびプロジェクタユニットの結合時にミラー１７が撮影用光学系１１の光路内に挿入可能になるように撮影用光学系１１を移動させるように構成することにより、画像投射機能付撮像システムの小型化を図っている。
【００２９】
デジタルカメラ１０の筺体１０ａの内部にはさらに、処理回路１９と、記録媒体２０と、内部インターフェース（以下、内部Ｉ／Ｆという）２１とが配置されている。処理回路１９は、撮像素子１４から入力される撮像画像の画像データを記録媒体２０に記録する機能の他、記録媒体２０内の画像データを、内部Ｉ／Ｆ２１経由で、プロジェクタユニット３０の処理回路３７（図１参照）に転送するデータ転送機能を含む種々の機能を有している。デジタルカメラ１０の筺体１０ａの右側面には、撮像および画像表示を含む各種操作を行うための各種ボタン類から成る操作部２２が設けられている。この操作部２２は、後述するように、プロジェクタユニット３０の画像投射を含む各種操作を行うための操作部を兼用するようになっている。なお、プロジェクタユニット３０側に画像投射を含む各種操作を行うための操作部を別に設けるようにしてもよい。
【００３０】
プロジェクタユニット３０は、デジタルカメラ１０およびプロジェクタユニット３０の結合時における撮影用光学系１１の光軸位置での縦断面図である図１に示すように、デジタルカメラ１０内に入り込むように中央上部に凸部３１が形成された箱型の筺体３０ａを有しており、筺体３０ａ内には、凸部３１のミラー１７側から順に、カバーガラス３２と、撮像画像を表示する画像表示手段である透過ＬＣＤ３３と、集光レンズ３４と、照明手段である光源３５と、反射板３６と、処理回路３７とが設けられている。さらに、筺体３０ａの右上面には、デジタルカメラ１０およびプロジェクタユニット３０の結合時にデジタルカメラ１０の内部Ｉ／Ｆ２１と接続される内部インターフェース（以下、内部Ｉ／Ｆという）３８が設けられており、筺体３０ａの右側面には、外部インターフェース（以下、外部Ｉ／Ｆという）３９が設けられている。この外部Ｉ／Ｆ３９としては、例えばＵＳＢ端子を用いるものとする。なお、本実施形態では、プロジェクタユニット３０は、デジタルカメラ１０への充電機能および外部機器との通信機能の少なくとも一方（本実施形態では両方）を備えるから、プロジェクタユニット３０を画像投射に使用しないときはデジタルカメラ１０の電源供給および内蔵電池の充電やＰＣ等の外部機器との情報通信に用いる「クレイドル」として利用することが可能になっている。
【００３１】
次に、本実施形態の画像投射機能付撮像システムの各種状態および各種動作を図面に基づき詳細に説明する。
【００３２】
［デジタルカメラ１０の非撮影時における撮影用光学系の収納状態］
図３は第１実施形態の画像投射機能付撮像システムにおけるデジタルカメラの撮影用光学系収納時の状態を示す撮影用光学系の光軸位置での縦断面図である。デジタルカメラ１０が使用者により非撮影状態に設定され（この非撮影状態は、例えばデジタルカメラ１０の電源がＯＦＦにされた状態に対応する）、かつ、プロジェクタユニット３０がデジタルカメラ１０から分離されているデジタルカメラ単体使用時には、デジタルカメラ１０に設けられた図示しない結合／分離検出手段からの「分離状態」を示す検出信号に応じて、処理回路１９が「撮影用光学系収納指令」を発するため、鏡枠１２は図３に示す収納位置に繰り込まれ、それに伴い撮像用光学系１１は図３のように収納される。これと同時に、処理回路１９が「ミラー退避指令」を発するため、ミラー１７は、鏡枠１２および撮像用光学系１１と干渉しない図３に示す位置（退避位置）に退避した状態となる。
【００３３】
［デジタルカメラ１０の撮影時の撮影用光学系の状態］
図３に示す撮影用光学系の収納状態において、使用者によりデジタルカメラ１０の電源をＯＮにする操作が行われた場合には、処理回路１９が「撮影準備指令」を発するため、鏡枠１２は図示しない繰り出し機構によって図２に示す撮影待機位置に繰り出され、それに伴い撮像用光学系１１は図２のような撮影待機状態になる。このとき、ミラー１７は、図２のように鏡枠１２および撮像用光学系１１と干渉しない退避位置に退避しているので、ミラー１７が撮影の邪魔になることはない。
図２に示す撮影待機状態においては、撮影用光学系１１によってローパスフィルタ１３を通って撮像素子１４に結像される図示しない被写体の像は、撮像素子１４によって電気信号に変換された後に、撮像素子１４に接続された処理回路１９に入力され、デジタルカメラ１０の右側面（背面）に配置された外部表示用のＬＣＤ１５に表示される。この撮影待機時には、ＬＣＤ１５はビューファインダとして機能する。
【００３４】
［デジタルカメラ１０の撮影動作および画像再生動作］
上記撮影待機状態において、使用者により操作部２２による撮影のための操作がなされると、処理回路１９が「撮影指令」を発するため、撮像素子１４に結像した被写体の像は電気信号に変換された後、処理回路１９を経て記録媒体２０に記録されることになる。この記録の後に、使用者により操作部２２による画像再生のための操作がなされると、処理回路１９が「再生指令」を発するため、ＬＣＤ１５は再生モードに切り換えられ、記録媒体２０に記録された画像がＬＣＤ１５に表示されることになる。
【００３５】
［デジタルカメラ１０およびプロジェクタユニット３０の結合動作］
デジタルカメラ１０にプロジェクタユニット３０を結合させる際には、まず、使用者により、図２または図３に示す状態のデジタルカメラの底部の蓋１６を取り外す操作が行われる。蓋１６が取り外されると、デジタルカメラ１０の電源がＯＮになるとともに、デジタルカメラ１０に設けられた図示しない着脱検出手段からの「蓋取り外し状態」を示す検出信号に応じて、処理回路１９が「結合準備指令」を発するため、図２、図３に示すように撮影用光学系１１の撮影光路範囲外の位置に退避しているミラー１７は、該ミラーと一体化された回転軸１８の中心周りに回転移動して、図１に示す投射位置に配置される。このとき、図３の状態で蓋１６を取り外す操作が行われた場合には、上記「結合準備指令」に応じて、図２に示す撮影待機位置まで鏡枠１２および撮像用光学系１１を繰り出す動作が行われるが、図２の状態で蓋１６を取り外す操作が行われた場合には、既に鏡枠１２および撮像用光学系１１は撮影待機位置まで移動しているので、鏡枠１２および撮像用光学系１１を繰り出す動作は行われない。
図１のようにミラー１７が投射位置に配置された状態のときは、デジタルカメラ１０の撮像用光学系１１および撮像素子１４間の光軸Ｌが９０度下方に折り曲げられるので、プロジェクタユニット３０を撮影用光学系１１の光軸Ｌと直交する方向から結合して使用することが可能になる。そして、使用者により、プロジェクタユニット３０がデジタルカメラ１０に結合されると、プロジェクタユニット３０の凸部３１がデジタルカメラ１０の内部に挿入された図１に示す結合状態になり、このときプロジェクタユニットの内部Ｉ／Ｆ３８とデジタルカメラ１０の内部Ｉ／Ｆ２１とが電気的に接続され、デジタルカメラ１０の処理回路１９においてプロジェクタユニット３０の画像投射等の操作を行うことが可能になる。
【００３６】
［プロジェクタユニット３０の画像投射動作］
図１に示すデジタルカメラ１０およびプロジェクタユニット３０の結合時には、ミラー１７によって撮影用光学系１１の光軸Ｌを９０度折り曲げられた光軸上に設けられた透過ＬＣＤ３３は、撮像素子１４と光学的に略等価な位置に配置されている。また、図１に示すデジタルカメラ１０およびプロジェクタユニット３０の結合時には、デジタルカメラ１０に設けられた図示しない結合／分離検出手段からの「結合状態」を示す検出信号に応じて、処理回路１９が「モード切換指令」を発するため、デジタルカメラ１０は、初期設定である「デジタルカメラモード」から「プロジェクタモード」に切り換わる。
このプロジェクタモードにおいては、デジタルカメラ１０に設けられた図示しない測距手段（この測距手段としては、本実施形態では、コストダウンのためにデジタルカメラ１０の撮像素子１４を流用するものとするが、撮像素子１４とは独立した自発光タイプの測距センサ等を設けてもよい）により、測距対象物である所定表示面（図４のスクリーン）までの距離を測定するとともに、測定された距離に応じて、透過ＬＣＤ３３に表示された画像（撮像画像）の投射像が上記スクリーンに結像するように撮影用光学系１１の光軸Ｌ方向の位置（すなわち撮影用光学系１１の焦点位置）を制御する処理が、処理回路１９によって行われる。
【００３７】
上記処理の完了後に、使用者により、記録媒体２０内に保存された撮像画像の画像データ中から所望の画像データを選択する操作が行われると、選択された撮像画像の画像データは、処理回路１９により、内部Ｉ／Ｆ２１、内部Ｉ／Ｆ３８を経てプロジェクタユニット３０内の処理回路３７に転送され、処理回路３７により当該撮像画像が透過ＬＣＤ３３に投射表示される。このとき、光源３５に電源が供給されて光源３５が点灯し、光源３５からの照明光が反射板３６および集光レンズ３４により集光されて効率よく均一に透過ＬＣＤ３３を照明するので、透過ＬＣＤ３３に表示された撮像画像は、ミラー１７を経て、撮影用光学系１１により、スクリーン上に投射表示されることになる。その際、例えば図４において、スクリーンから透過ＬＣＤまでの距離を２ｍに設定し、撮影用光学系１１の画角を約４７°（全対角、３５ｍｍフィルムでの相当焦点距離５０ｍｍ）に設定した場合には、約６８インチ相当の大画面スクリーン上に当該撮像画像を投射表示して鑑賞できるようになる。なお、撮像画像の解像度よりも透過ＬＣＤの解像度（例えばＳＶＧＡ；８００×６００画素）の方が高い場合（例えば撮像画像の解像度がＶＧＡ；６４０×４８０画素の場合）には撮像画像の解像度で投射表示がなされるが、撮像画像の解像度よりも透過ＬＣＤ３３の解像度（例えばＳＶＧＡ；８００×６００画素）の解像度の方が高い場合（例えば撮像画像の解像度がＸＧＡ；１０２４×７６８画素）には透過ＬＣＤの解像度で投射表示がなされる。
【００３８】
なお、プロジェクタユニット３０の外部Ｉ／Ｆ３９は、外部の機器（例えばＰＣ）などと接続可能に構成されているので、ＰＣに接続されたハードディスクやメモリーカード等の記録媒体に記録された画像データを処理回路３７によって読み込んで、当該画像データに対応する画像を透過ＬＣＤ３３に表示してスクリーン上に投射することも可能になっている。したがって、デジタルカメラ１０内の記録媒体２０に記録されている画像データに対応する画像ばかりでなく、それ以外の画像データに対応する画像（静止画、動画でも可能）や、ＰＣの表示画面をスクリーン上に投影して鑑賞することも可能である。
【００３９】
［デジタルカメラ１０およびプロジェクタユニット３０の分離動作］
図１に示すデジタルカメラ１０およびプロジェクタユニット３０の結合状態において、使用者により、デジタルカメラ１０からプロジェクタユニット３０を分離するための操作（例えばプロジェクタユニット３０側に設けられた図示しない分離ボタンの操作）がなされると、デジタルカメラ１０の下部およびプロジェクタユニット３０の凸部３１の結合状態が解除されるので、プロジェクタユニット３０を撮影用光学系１１の光軸Ｌと直交する方向（図１の下方向）に移動させることにより、デジタルカメラ１０とプロジェクタユニット３０とは分離された状態となる。デジタルカメラ１０およびプロジェクタユニット３０の分離後には、取り外しておいた蓋１６を装着することにより、デジタルカメラ１０を図３の状態に復帰させておくものとする。なお、上述したように、プロジェクタユニット３０を、撮影用光学系１１の光軸Ｌに対して直交する方向でデジタルカメラ１０に結合／分離する構成とすることにより、デジタルカメラ１０内においてプロジェクタユニット３０が占有するスペースを縮小して、画像投射機能付撮像システムの小型化を図っている。
【００４０】
本実施形態の画像投射機能付撮像システムによれば、上述したように構成することにより、デジタルカメラとプロジェクタユニットとの結合時のプロジェクタユニットとしての使用形態およびデジタルカメラとプロジェクタユニットとの分離時のデジタルカメラ単体としての使用形態を取り得るシステムとなるので、デジタルカメラ機能およびプロジェクタ機能の両機能を具備した小型かつ低コストな画像投射機能付撮像システムを実現することができる。
また、本実施形態の画像投射機能付撮像システムは、光学ファインダ無しのデジタルカメラであっても、対物レンズを有していない小型のプロジェクタユニットを付加するだけで、プロジェクタとして画像を投射することができるので、使用するデジタルカメラが光学ファインダ付きデジタルカメラに限定されることはない。また、本実施形態の画像投射機能付撮像システムに用いるデジタルカメラは、投射表示用の画像表示素子や照明装置を設ける必要がないため、デジタルカメラ単体としては通常のデジタルカメラとほぼ同等の小型かつ低コストなものになる。そのため、デジタルカメラとして撮影に使用するときにも不便にならず、また、プロジェクタとしての機能を必要としない使用者の場合、余分なコストを負担する必要がなくなる。さらに、本実施形態の画像投射機能付撮像システムに用いるプロジェクタユニットは、対物レンズを必要としないので、小型かつ低コストなものになり、デジタルカメラ機能およびプロジェクタの両機能を具備する画像投射機能付撮像システムの小型化および低コスト化に寄与することになる。
【００４１】
なお、上記第１実施形態では、プロジェクタユニット３０内に透過ＬＣＤ３３への画像表示機能等の各種機能を有する処理回路３７を設けたが、デジタルカメラ１０内の処理回路１９に上記各種機能を統合して、デジタルカメラ１０のＬＣＤ１５への画像表示およびプロジェクタユニット３０の透過ＬＣＤ３３への画像表示を同時に行ったり、デジタルカメラ１０のＬＣＤ１５への画像表示およびプロジェクタユニット３０の透過ＬＣＤ３３への画像表示を切り換えたりするように構成してもよい。
また、上記第１実施形態では、プロジェクタユニット３０をデジタルカメラ１０の底部から結合するように構成したが、デジタルカメラ１０の横方向から結合するように構成してもよい。
【００４２】
また、上記第１実施形態では、プロジェクタユニット３０による画像投射時のスクリーンへの結像状態を制御するための測距データを得る測距手段として撮像素子１４を流用するように構成しているが、その場合にミラー１７を半透過のハーフミラーとすることにより、プロジェクタモードであっても撮像素子１４にはスクリーンに投射された像が結像するようになるので、例えば使用者がＬＣＤ１５をモニタしながら、スクリーン上に結像した投射像のコントラストが最大となる位置に撮影用光学系１１を移動制御することにより、光学的に略等価な位置にある透過ＬＣＤ３３の表示画像をスクリーン上に結像させることができるようになる。
また、上記第１実施形態では、画像の投射のために光路を折り曲げる反射部材としてミラーを用いているが、代わりにプリズムを用いてもよい。
また、上記第１実施形態では、撮像素子１４と透過ＬＣＤ３３とを光学的に略等価な位置に配置するようにしたが、配置構成上の都合により、略等価ではない位置に配置するようにしてもよい。その場合、撮影状態での撮影用光学系１１の繰り出し位置とプロジェクタモードでの撮影用光学系１１の繰り出し位置とが異なるように設定しておけばよい。
【００４３】
また、上記第１実施形態では、投射表示用に透過ＬＣＤを用いているが、反射型ＬＣＤや有機ＥＬ素子等を含む自発光素子等の表示素子を用いてもよい。
また、上記第１実施形態では、撮影用光学系１１としてズーム機能のあるものを用いることにより、画像投射時に同一距離でも投射画像の大きさを任意に変更してプロジェクタとしての使い勝手を向上させるようにしているが、ズーム機能の無い撮影用光学系を用いてもよい。
さらに、上記第１実施形態では、デジタルカメラ１０の撮像素子１４と投射表示用の透過ＬＣＤ３３の大きさを略同一としたが、両者の大きさが異なってもよい。その場合、撮影用光学系１１を構成する対物レンズのイメージサークルが大きい方の素子サイズをカバーしていれば問題無いが、対物レンズのイメージサークルより大きな透過ＬＣＤを投射用に使用したい場合には、透過ＬＣＤの前に倍率変換の光学系を配置して、透過ＬＣＤによる表示画像が対物レンズのイメージサークル内に収まるようにすればよい。
【００４４】
［第２実施形態］
図５は本発明の第２実施形態の画像投射機能付撮像システムの全体構成を示す縦断面図であり、図６は第２実施形態の画像投射機能付撮像システムにおけるデジタルカメラの撮影時の状態を示す撮影用光学系の光軸位置での縦断面図である。本実施形態の画像投射機能付撮像システムの上記第１実施形態の画像投射機能付撮像システムとの相違点は、反射部材であるミラーの設置位置を、デジタルカメラ内からプロジェクタユニット内に変更したことであり、この変更に伴い、デジタルカメラの筺体が小型化されている。本実施形態の画像投射機能付撮像システムは、図５に示すように、デジタルカメラ５０と、プロジェクタユニット７０とを具備して成る。なお、本実施形態では、デジタルカメラ５０として、コンパクトタイプのデジタルカメラを用いるものとする。
【００４５】
デジタルカメラ５０は、図６に示すように、筺体５０ａの左側面に、図示しない対物レンズを含む撮影用光学系（この撮影用光学系は、ズーム機能を有しているものを用いるものとする）５１を保持する鏡枠５２が、撮影用光学系５１の光軸Ｌ上を進退移動可能に保持されており、鏡枠５２は、図６の状態では撮影位置に停止している。撮影用光学系５１の光軸Ｌ上の筺体５０ａの右端部近傍には、ローパスフィルタ５３および撮像素子（例えばＣＣＤ、ＣＭＯＳ等）５４が支持されており、筺体５０ａの右側面には外部表示部であるＬＣＤ５５が配置されている。筺体５０ａの底面には蓋５６が着脱可能に設けられている。この蓋５６は、図６に示すデジタルカメラ単体使用時には装着し、図５に示すデジタルカメラ５０およびプロジェクタユニット７０の結合使用時には取り外すことになっている。
【００４６】
デジタルカメラ５０の筺体５０ａの内部には、処理回路５７と、記録媒体５８と、内部インターフェース（以下、内部Ｉ／Ｆという）５９とが配置されている。処理回路５７は、撮像素子５４から入力される撮像画像の画像データを記録媒体５８に記録する機能の他、記録媒体５８内の画像データを、内部Ｉ／Ｆ５９経由で、プロジェクタユニット７０の処理回路７８（図５参照）に転送するデータ転送機能を含む種々の機能を有している。デジタルカメラ５０の筺体５０ａの右側面には、撮像および画像表示を含む各種操作を行うための各種ボタン類から成る操作部６０が設けられている。この操作部６０は、後述するように、プロジェクタユニット７０の画像投射を含む各種操作を行うための操作部を兼用するようになっている。なお、プロジェクタユニット７０側に画像投射を含む各種操作を行うための操作部を別に設けるようにしてもよい。
【００４７】
プロジェクタユニット７０は、デジタルカメラ５０およびプロジェクタユニット７０の結合時における撮影用光学系５１の光軸位置での縦断面図である図５に示すように、デジタルカメラ５０内に入り込むように中央上部に凸部７１が形成された箱型の筺体７０ａを有している。凸部７１は、図示右上端部に４５度の傾斜面から成る斜面部７１ａを有しており、斜面部７１ａの内面には反射部材であるミラー７２が固定されている。このミラー７２は、図５に示すようなデジタルカメラ５０およびプロジェクタユニット７０の結合時には撮像用光学系５１および撮像素子５４の間に挿入されて撮像用光学系５１の光軸Ｌと４５度の傾斜角をなすように配置されており、図６に示すようなデジタルカメラ５０およびプロジェクタユニット７０の分離時には撮影用光学系５１の光路範囲外に退避することは言うまでもない。なお、上述したように反射部材であるミラー７２をプロジェクタユニットの内部に配置することにより、本実施形態の画像投射機能付撮像システムにおけるデジタルカメラ５０の小型化を図っている。
【００４８】
プロジェクタユニット７０の筺体７０ａ内には、凸部７１のミラー７２側から順に、カバーガラス７３と、撮像画像を表示する画像表示手段である透過ＬＣＤ７４と、集光レンズ７５と、照明手段である光源７６と、反射板７７と、処理回路７８とが設けられている。さらに、筺体７０ａの右上面には、デジタルカメラ５０およびプロジェクタユニット７０の結合時にデジタルカメラ５０の内部Ｉ／Ｆ５９と接続される内部インターフェース（以下、内部Ｉ／Ｆという）７９が設けられており、筺体７０ａの右側面には、外部インターフェース（以下、外部Ｉ／Ｆという）８０が設けられている。この外部Ｉ／Ｆ８０としては、例えばＵＳＢ端子を用いるものとする。なお、本実施形態では、プロジェクタユニット７０は、デジタルカメラ５０への充電機能および外部機器との通信機能の少なくとも一方（本実施形態では両方）を備えるから、プロジェクタユニット７０を画像投射に使用しないときはデジタルカメラ５０の電源供給および内蔵電池の充電やＰＣ等の外部機器との情報通信に用いる「クレイドル」として利用することが可能になっている。
【００４９】
次に、本実施形態の画像投射機能付撮像システムの各種状態および各種動作を図面に基づき詳細に説明する。
【００５０】
［デジタルカメラ５０の非撮影時における撮影用光学系の収納状態］
図７は第２実施形態の画像投射機能付撮像システムにおけるデジタルカメラの撮影用光学系収納時の状態を示す撮影用光学系の光軸位置での縦断面図である。デジタルカメラ５０が使用者により非撮影状態に設定され（この非撮影状態は、例えばデジタルカメラ５０の電源がＯＦＦにされた状態に対応する）、かつ、プロジェクタユニット７０がデジタルカメラ５０から分離されているデジタルカメラ単体使用時には、デジタルカメラ５０に設けられた図示しない結合／分離検出手段からの「分離状態」を示す検出信号に応じて、処理回路５７が「撮影用光学系収納指令」を発するため、鏡枠５２は図７に示す収納位置に繰り込まれ、それに伴い撮像用光学系５１は図７のように収納される。
【００５１】
［デジタルカメラ５０の撮影時の撮影用光学系の状態］
図７に示す撮影用光学系の収納状態において、使用者によりデジタルカメラ５０の電源をＯＮにする操作が行われた場合には、処理回路５７が「撮影準備指令」を発するため、鏡枠５２は図示しない繰り出し機構によって図６に示す撮影待機位置に繰り出され、それに伴い撮像用光学系５１は図６のような撮影待機状態になる。
図６に示す撮影待機状態においては、撮影用光学系５１によってローパスフィルタ５３を通って撮像素子５４に結像される図示しない被写体の像は、撮像素子５４によって電気信号に変換された後に、撮像素子５４に接続された処理回路５７に入力され、デジタルカメラ５０の右側面（背面）に配置された外部表示用のＬＣＤ５５に表示される。この撮影待機時には、ＬＣＤ５５はビューファインダとして機能する。
【００５２】
［デジタルカメラ５０の撮影動作および画像再生動作］
上記撮影待機状態において、使用者により操作部６０による撮影のための操作がなされると、処理回路５７が「撮影指令」を発するため、撮像素子５４に結像した被写体の像は電気信号に変換された後、処理回路５７を経て記録媒体５８に記録されることになる。この記録の後に、使用者により操作部６０による画像再生のための操作がなされると、処理回路５７が「再生指令」を発するため、ＬＣＤ５５は再生モードに切り換えられ、記録媒体５８に記録された画像がＬＣＤ５５に表示されることになる。
【００５３】
［デジタルカメラ５０およびプロジェクタユニット７０の結合動作］
デジタルカメラ５０にプロジェクタユニット７０を結合させる際には、まず、使用者により、図６または図７に示す状態のデジタルカメラの底部の蓋５６を取り外す操作が行われる。図７に示す状態のデジタルカメラの蓋５６が取り外されると、デジタルカメラ５０の電源がＯＮになるとともに、デジタルカメラ５０に設けられた図示しない着脱検出手段からの「蓋取り外し状態」を示す検出信号に応じて、処理回路５７が「結合準備指令」を発するため、この「結合準備指令」に応じて、図６に示す撮影待機位置まで鏡枠１２および撮像用光学系１１を繰り出す動作が行われる結果、デジタルカメラ５０は図６に示す状態になるが、図６の状態で蓋５６を取り外す操作が行われた場合には、既に鏡枠５２および撮像用光学系５１は撮影待機位置まで移動しているので、鏡枠５２および撮像用光学系５１を繰り出す動作は行われない。
デジタルカメラ５０が図６に示す状態のときは、デジタルカメラ５０の撮像用光学系１１および撮像素子１４の光路上に図示のような空間が形成されているので、この空間にミラー７２が挿入されるように、上部にミラー７２を設けたプロジェクタユニット７０を撮影用光学系５１の光軸Ｌと直交する方向から結合して使用することが可能になる。そして、使用者により、プロジェクタユニット７０がデジタルカメラ５０に結合されると、プロジェクタユニット７０の凸部７１がデジタルカメラ５０の内部に挿入された図５に示す結合状態になり、このときプロジェクタユニットの内部Ｉ／Ｆ７９とデジタルカメラ５０の内部Ｉ／Ｆ５９とが電気的に接続され、デジタルカメラ５０の処理回路５７においてプロジェクタユニット７０の画像投射等の操作を行うことが可能になる。
【００５４】
［プロジェクタユニット７０の画像投射動作］
図５に示すデジタルカメラ５０およびプロジェクタユニット７０の結合時には、ミラー７２によって撮影用光学系５１の光軸Ｌを９０度折り曲げられた光軸上に設けられた透過ＬＣＤ７４は、撮像素子５４と光学的に略等価な位置に配置されている。また、図５に示すデジタルカメラ５０およびプロジェクタユニット７０の結合時には、デジタルカメラ５０に設けられた図示しない結合／分離検出手段からの「結合状態」を示す検出信号に応じて、処理回路５７が「モード切換指令」を発するため、デジタルカメラ５０は、初期設定である「デジタルカメラモード」から「プロジェクタモード」に切り換わる。
このプロジェクタモードにおいては、デジタルカメラ５０に設けられた図示しない測距手段（この測距手段としては、本実施形態では、コストダウンのためにデジタルカメラ５０の撮像素子５４を流用するものとするが、撮像素子５４とは独立した自発光タイプの測距センサ等を設けてもよい）により、測距対象物である所定表示面（図４のスクリーン）までの距離を測定するとともに、測定された距離に応じて、透過ＬＣＤ７４に表示された画像（撮像画像）の投射像が上記スクリーンに結像するように撮影用光学系５１の光軸Ｌ方向の位置（すなわち撮影用光学系５１の焦点位置）を制御する処理が、処理回路５７によって行われる。
【００５５】
上記処理の完了後に、使用者により、記録媒体５８内に保存された撮像画像の画像データ中から所望の画像データを選択する操作が行われると、選択された撮像画像の画像データは、処理回路５７により、内部Ｉ／Ｆ５９、内部Ｉ／Ｆ７９を経てプロジェクタユニット７０内の処理回路７８に転送され、処理回路７８により当該撮像画像が透過ＬＣＤ７４に投射表示される。このとき、光源７６に電源が供給されて光源７６が点灯し、光源７６からの照明光が反射板７７および集光レンズ７５により集光されて効率よく均一に透過ＬＣＤ７４を照明するので、透過ＬＣＤ７４に表示された撮像画像は、ミラー７２を経て、撮影用光学系５１により、スクリーン上に投射表示されることになる。その際、例えば図４において、スクリーンから透過ＬＣＤ７４までの距離を２ｍに設定し、撮影用光学系５１の画角を約４７°（全対角、３５ｍｍフィルムでの相当焦点距離５０ｍｍ）に設定した場合には、約６８インチ相当の大画面スクリーン上に当該撮像画像を投射表示して鑑賞できるようになる。なお、撮像画像の解像度よりも透過ＬＣＤの解像度（例えばＳＶＧＡ；８００×６００画素）の方が高い場合（例えば撮像画像の解像度がＶＧＡ；６４０×４８０画素の場合）には撮像画像の解像度で投射表示がなされるが、撮像画像の解像度よりも透過ＬＣＤの解像度（例えばＳＶＧＡ；８００×６００画素）の解像度の方が高い場合（例えば撮像画像の解像度がＸＧＡ；１０２４×７６８画素）には透過ＬＣＤの解像度で投射表示がなされる。
【００５６】
なお、プロジェクタユニット７０の外部Ｉ／Ｆ８０は、外部の機器（例えばＰＣ）などと接続可能に構成されているので、ＰＣに接続されたハードディスクやメモリーカード等の記録媒体に記録された画像データを処理回路７８によって読み込んで、当該画像データに対応する画像を透過ＬＣＤ７４に表示してスクリーン上に投射することも可能になっている。したがって、デジタルカメラ５０内の記録媒体５８に記録されている画像データに対応する画像ばかりでなく、それ以外の画像データに対応する画像（静止画、動画でも可能）や、ＰＣの表示画面をスクリーン上に投影して鑑賞することも可能である。
【００５７】
［デジタルカメラ５０およびプロジェクタユニット７０の分離動作］
図５に示すデジタルカメラ５０およびプロジェクタユニット７０の結合状態において、使用者により、デジタルカメラ５０からプロジェクタユニット７０を分離するための操作（例えばプロジェクタユニット７０側に設けられた図示しない分離ボタンの操作）がなされると、デジタルカメラ５０の下部およびプロジェクタユニット７０の凸部７１の結合状態が解除されるので、プロジェクタユニット７０を撮影用光学系５１の光軸Ｌと直交する方向（図５の下方向）に移動させることにより、デジタルカメラ５０とプロジェクタユニット７０とは分離された状態となる。デジタルカメラ５０およびプロジェクタユニット７０の分離後には、取り外しておいた蓋５６を装着することにより、デジタルカメラ５０を図７の状態に復帰させておくものとする。なお、上述したように、プロジェクタユニット７０を、撮影用光学系５１の光軸Ｌに対して直交する方向でデジタルカメラ５０に結合／分離する構成とすることにより、デジタルカメラ５０内においてプロジェクタユニット７０が占有するスペースを縮小して、画像投射機能付撮像システムの小型化を図っている。
【００５８】
本実施形態の画像投射機能付撮像システムによれば、上述したように構成することにより、デジタルカメラとプロジェクタユニットとの結合時のプロジェクタユニットとしての使用形態およびデジタルカメラとプロジェクタユニットとの分離時のデジタルカメラ単体としての使用形態を取り得るシステムとなるので、デジタルカメラ機能およびプロジェクタ機能の両機能を具備した小型かつ低コストな画像投射機能付撮像システムを実現することができる。
また、本実施形態の画像投射機能付撮像システムによれば、光学ファインダ無しのデジタルカメラであっても、対物レンズを有していない小型のプロジェクタユニットを付加するだけで、プロジェクタとして画像を投射することができるので、使用するデジタルカメラが光学ファインダ付きデジタルカメラに限定されることはない。また、本実施形態の画像投射機能付撮像システムに用いるデジタルカメラは、投射表示用の画像表示素子や照明装置を設ける必要がないため、デジタルカメラ単体としては通常のデジタルカメラとほぼ同等の小型かつ低コストなものになる。そのため、デジタルカメラとして撮影に使用するときにも不便にならず、また、プロジェクタとしての機能を必要としない使用者の場合、余分なコストを負担する必要がなくなる。また、本実施形態の画像投射機能付撮像システムに用いるプロジェクタユニットは、対物レンズを必要としないので、小型かつ低コストなものになり、デジタルカメラ機能およびプロジェクタの両機能を具備する画像投射機能付撮像システムの小型化および低コスト化に寄与することになる。
【００５９】
さらに、本実施形態の画像投射機能付撮像システムでは、光路折り曲げ用のミラー７２をプロジェクタユニット７０側に配置しているので、デジタルカメラ側に「撮影用光学系の対物レンズをプロジェクタユニットの対物レンズとして使用ための追加の機構（ミラー回転機構等）」を設ける必要がないため、上記第１実施形態の画像投射機能付撮像システムよりもデジタルカメラが小型かつ低コストになるとともに、プロジェクタ使用時のミラー可動制御が無くなって制御が簡略化される。また、光路折り曲げ用のミラー７２をプロジェクタユニット７０側に固定する構造としたため、撮影用光学系５１および撮像素子５４の間の空間はミラーで光路を折り曲げるために必要なスペースのみ確保できればよく、上記第１実施形態のようにミラーが可動式の場合に必要な「ミラーが退避する際に撮像素子等のデジタルカメラ内の他の部材に干渉しないための余分な空間」を必要としないので、撮影時および画像投射時の撮影用光学系５１および撮像素子５４の間隔をより小さく設計することが可能になり、デジタルカメラ本体をより小型で薄くすることができるようになる。
【００６０】
なお、本実施形態では、光路の折り曲げにミラーを使用しているが、上記第１実施形態と同様にプリズムを使用してもよく、また、ハーフミラーを用いて画像投射時にも撮像素子５４で投影画像をモニタできるようにしてもよい。
また、上記第１実施形態および上記第２実施形態は、本発明の構成をデジタルカメラに適用した例であるが、他の種類のカメラ（ムービーカメラ等）に適用してもよい。
【図面の簡単な説明】
【００６１】
【図１】本発明の第１実施形態の画像投射機能付撮像システムの全体構成を示す縦断面図である。
【図２】第１実施形態の画像投射機能付撮像システムにおけるデジタルカメラの撮影時の状態を示す撮影用光学系の光軸位置での縦断面図である。
【図３】第１実施形態の画像投射機能付撮像システムにおけるデジタルカメラの撮影用光学系収納時の状態を示す撮影用光学系の光軸位置での縦断面図である。
【図４】第１実施形態および第２実施形態の画像投射機能付撮像システムを用いて画像をスクリーンに投射したときの状態を説明するための図である。
【図５】本発明の第２実施形態の画像投射機能付撮像システムの全体構成を示す縦断面図である。
【図６】第２実施形態の画像投射機能付撮像システムにおけるデジタルカメラの撮影時の状態を示す撮影用光学系の光軸位置での縦断面図である。
【図７】第２実施形態の画像投射機能付撮像システムにおけるデジタルカメラの撮影用光学系収納時の状態を示す撮影用光学系の光軸位置での縦断面図である。
【符号の説明】
【００６２】
１０  デジタルカメラ
１０ａ  筺体
１１  撮影用光学系
１２  鏡枠
１３  ローパスフィルタ
１４  撮像素子
１５  ＬＣＤ
１６  蓋
１７  ミラー（反射部材）
１８  回転軸
１９  処理回路
２０  記録媒体
２１  内部インターフェース
２２  操作部
３０  プロジェクタユニット
３０ａ  筺体
３１  凸部
３２  カバーガラス
３３  透過ＬＣＤ（画像表示手段）
３４  集光レンズ
３５  光源
３６  反射板
３７  処理回路
３８  内部インターフェース
３９  外部インターフェース
５０  デジタルカメラ
５０ａ  筺体
５１  撮影用光学系
５２  鏡枠
５３  ローパスフィルタ
５４  撮像素子
５５  ＬＣＤ
５６  蓋
５７  処理回路
５８  記録媒体
５９  内部インターフェース
６０  操作部
７０  プロジェクタユニット
７０ａ  筺体
７１  凸部
７１ａ  斜面部
７２  ミラー（反射部材）
７３  カバーガラス
７４  透過ＬＣＤ（画像表示手段）
７５  集光レンズ
７６  光源
７７  反射板
７８  処理回路
７９  内部インターフェース
８０  外部インターフェース
【図１】
2006180201.tif 000003
【図２】
2006180201.tif 000004
【図３】
2006180201.tif 000005
【図４】
2006180201.tif 000006
【図５】
2006180201.tif 000007
【図６】
2006180201.tif 000008
【図７】
2006180201.tif 000009